(57)【要約】アセンブリ（１）は、- 複数の物品（１０）、- 物品上に配置された受動的または半受動的ＲＦＩＤタグ、ここで、各々は特に書き換え不能なメモリに記録された少なくとも１つの固有の識別子を含み、該タグは、問い合わせを受けたとき、該タグの少なくとも該固有の識別子を送信するように構成され、- 該物品間に存在する、少なくとも１つのＲＦＩＤ読取器を含むハブ（２０）、ここで、該ハブに関連する正規直交座標系（ＸＹＺ）の少なくとも１つの読み取りアンテナによって、前記方向に配置された物品の少なくとも該ＲＦＩＤタグに問い合わせることが可能な仕方で配設され、該問い合わせを受けたＲＦＩＤタグからデータを受信するように構成されている、備えている。【選択図】図１
2020504368.tif 000002
【特許請求の範囲】
【請求項１】
アセンブリ（１）であって、
‐  複数の物品（１０）、
‐  該物品上に配設された受動的または半受動的ＲＦＩＤタグ（３０）、ここで、各タグは、特に書き換え不能メモリに記録された、少なくとも１つの固有の識別子を含み、該タグは、問い合わせを受けたとき、該タグの少なくとも該固有の識別子を送信するように構成されている、
‐  該物品間に存在する、少なくとも１つのＲＦＩＤ読取器（２３）を備えているハブ（２０）、ここで、物品は、該ハブに関連付けられた正規直交座標系（ＸＹＺ）の少なくとも１つの方向に沿って該ハブの両側に配置され、該ハブは、少なくとも１つの読み取り用アンテナ（２１）によって、前記方向に配置された物品の少なくとも該ＲＦＩＤタグに問い合わせることが可能な仕方で配設され、該ハブは、該問い合わせを受けたＲＦＩＤタグからデータを受信するように構成されている、
を備え、
ここで、少なくとも１つのタグ（３０）は、問い合わせを受けたとき、該タグの固有の識別子、および少なくとも１つの環境パラメータの代表データの少なくとも１つの要素を送信するように構成されている、
上記アセンブリ（１）。
【請求項２】
アセンブリ（１）であって、
‐  複数の物品（１０）、
‐  該物品上に配設された受動的または半受動的ＲＦＩＤタグ（３０）、ここで、各タグは、特に書き換え不能メモリに記録された、少なくとも１つの固有の識別子を含み、該タグは、問い合わせを受けたとき、該タグの少なくとも該固有の識別子を送信するように構成されている、
‐  該物品間に存在する、少なくとも１つのＲＦＩＤ読取器（２３）を備えているハブ（２０）、ここで、物品は、該ハブに関連付けられた正規直交座標系（ＸＹＺ）の少なくとも２つの方向に沿って該ハブの両側に配置され、該ハブは、少なくとも１つの読み取り用アンテナ（２１）によって、前記方向に配置された物品の少なくとも該ＲＦＩＤタグに問い合わせることが可能な仕方で配設され、該ハブは、該問い合わせを受けたＲＦＩＤタグからデータを受信するように構成されている、
を備えている、
上記アセンブリ（１）。
【請求項３】
アセンブリ（１）であって、
‐  複数の物品（１０）、
‐  物品上に配設された受動的または半受動的のＲＦＩＤタグ（３０）、ここで各タグは、特に書き換え不能なメモリに記録された、少なくとも１つの固有の識別子を含み、タグは、問い合わせを受けたときに、該タグの少なくとも固有の識別子を送信するように構成されている、
‐  該物品間に存在する、少なくとも１つのＲＦＩＤ読取器（２３）を備えているハブ（２０）、ここで、物品は、該ハブに関連付けられた正規直交座標系（ＸＹＺ）の少なくとも１つの方向に沿って該ハブの両側に配置され、該ハブは、少なくとも１つの読み取り用アンテナ（２１）によって、前記方向に配置された物品の少なくとも該ＲＦＩＤタグに問い合わせることが可能な仕方で配設され、該ハブは、該問い合わせを受けたＲＦＩＤタグからデータを受信するように構成されている、
を備え、
該ハブを該物品と一緒に積み重ねることを可能にするために、該ハブは該物品と同一の寸法、またはその倍数の寸法である、
上記アセンブリ（１）。
【請求項４】
アセンブリ（１）であって、
‐  複数の物品（１０）、
‐  該物品上に配設された受動的または半受動的ＲＦＩＤタグ（３０）、ここで、各タグは、特に書き換え不能メモリに記録された、少なくとも１つの固有の識別子を含み、該タグは、問い合わせを受けたとき、該タグの少なくとも該固有の識別子を送信するように構成されている、
‐  該物品間に存在する、少なくとも１つのＲＦＩＤ読取器（２３）を備えているハブ（２０）、ここで、物品は、該ハブに関連付けられた正規直交座標系（ＸＹＺ）の少なくとも１つの方向に沿って該ハブの両側に配置され、該ハブは、少なくとも１つの読み取り用アンテナ（２１）によって、前記方向に配置された物品の少なくとも該ＲＦＩＤタグに問い合わせることが可能な仕方で配設され、該ハブは、該問い合わせを受けたＲＦＩＤタグからデータを受信するように構成されている、
を備え、
該ハブは、該ＲＦＩＤタグによって送信されたデータを記録するように配設されている、
上記アセンブリ（１）。
【請求項５】
少なくとも１のタグ（３０）は、問い合わせを受けたときに、該タグの固有の識別子と、少なくとも１の環境パラメータの代表データの少なくとも１の要素とを送信するように構成されている、請求項２〜４のいずれか１項に記載のアセンブリ。
【請求項６】
該タグ（３０）によって送信されるデータは、前記タグ内に一体化された又は前記タグが接続されているセンサ（３３）による該環境パラメータの観察から生じる、請求項１または５に記載のアセンブリ。
【請求項７】
該タグ（３０）によって送信されるデータが、該タグのアンテナの機能化から生じ、前記アンテナは、前記環境パラメータに対して敏感になるようにされる、請求項１、５または６のいずれか１項に記載のアセンブリ。
【請求項８】
該環境パラメータは、温度、湿度、加速度、配向、圧力、衝撃、酸素への曝露、所定のガスの存在、所定の分析物の存在、光への暴露、放射線、特にＵＶ、ＩＲまたは電離放射線への暴露、から選択される、ここで好ましくは、該環境パラメータは、温度、衝撃または湿度である、請求項１または５〜７のいずれか１項に記載のアセンブリ。
【請求項９】
該環境パラメータは温度である、請求項１または５〜８のいずれか１項に記載のアセンブリ。
【請求項１０】
該ハブ（２０）は、タグから受信されたデータに関連する情報を遠隔送信するように構成されている、請求項１〜９のいずれか１項に記載のアセンブリ。
【請求項１１】
前記ハブ（２０）は、受信されたデータに関連する情報、具体的にはタグの該環境に関連する情報の少なくとも１つの項目、具体的には少なくとも1つの環境パラメータの変動を、該タグ（３０）内に記憶するように構成されている、請求項１〜１０のいずれか１項に記載のアセンブリ。
【請求項１２】
該ハブは、少なくとも１つの環境パラメータに対する前記代表データが所定の閾値に違反したタグの記録を可能にするために、該タグの固有の識別子に従って該タグを選択するように構成されている、請求項１または請求項５〜１１のいずれか１項に記載のアセンブリ。
【請求項１３】
前記ハブは、該環境パラメータに関連する情報をタグ内に記録するように構成され、該タグの少なくとも１つの環境パラメータの該代表データは、所定の閾値に違反している、請求項１または請求項５〜１２のいずれか１項に記載のアセンブリ。
【請求項１４】
情報が、書き込みモードでアクセス可能な該タグのメモリ領域に、具体的には該環境パラメータの該代表データが該所定の値（Ｓ）を超えたことを示すコードの形、具体的には０または１の２値で記録される、ここで、該コードは、該環境パラメータの該代表データによる該所定の閾値（Ｓ）のオーバーシュートの持続時間に対応する値をさらに含みうる、請求項１〜１３のいずれか１項に記載のアセンブリ。
【請求項１５】
具体的にはパレット上の、複数の物品および該ハブ用の包装手段、具体的にはフィルムラップまたは包装を含む、請求項１〜１４のいずれか１項に記載のアセンブリ。
【請求項１６】
該ハブは、該ハブの両側に配置された複数の物品で少なくとも２つの方向で包装されている、請求項１〜１４のうちの請求項２を除くいずれか１項に記載のアセンブリ。
【請求項１７】
該ハブは、該ハブの両側に配置された複数の物品で、前記正規直交座標系の少なくとも３つの方向で包装され、該ハブは、好ましくは該複数の物品の中心に置かれている、請求項１〜１６のいずれか１項に記載のアセンブリ。
【請求項１８】
該ハブは、該ハブを該物品と共に積み重ねることを可能にするために、該物品と同一の寸法、又はその寸法の倍数の寸法である、請求項１〜１７のうちの請求項３を除くいずれか１項に記載のアセンブリ。
【請求項１９】
該ハブは、所定のイベントに応答してラベルの自動読み取りを起動するように構成されている、請求項１〜１８のいずれか１項に記載のアセンブリ。
【請求項２０】
該イベントは、該包装手段の移動、コマンド信号の受信、またはクロック信号の受信から選択される、請求項１９に記載のアセンブリ。
【請求項２１】
該ハブは、環境パラメータのための少なくとも１つのセンサ、地理的位置信号（具体的にはＧＰＳ信号）用の受信機、携帯電話ネットワークを介した通信手段、または接続された対象物のネットワークを含む、請求項１〜２０のいずれか１項に記載のアセンブリ。
【請求項２２】
該ハブは、周期的に該ＲＦＩＤタグに問い合わせるように設計されている、請求項１〜２１のいずれか１項に記載のアセンブリ。
【請求項２３】
該ハブは、特にＵＨＦタイプの、複数のアンテナ（２１）、具体的には平行六面体デザインのハウジングの６つの側面にそれぞれ配置された６つのアンテナ、を有する少なくとも１つのＲＦＩＤ読取器を備えている、請求項１〜２２のいずれか１項に記載のアセンブリ。
【請求項２４】
該ハブは、該ＲＦＩＤタグによって送信されたデータを記録するように設計されている、請求項１〜２３のうちの請求項４を除くいずれか１項に記載のアセンブリ。
【請求項２５】
該ハブは、該ＲＦＩＤタグによって送信されたデータをメモリカード、好ましくはマイクロＳＤタイプのメモリカードに記録するように設計されている、請求項１〜２４のいずれか１項に記載のアセンブリ。
【請求項２６】
該ＲＦＩＤタグはＵＨＦタグであり、その各々は好ましくはダイポールアンテナを有する、請求項１〜２５のいずれか１項に記載のアセンブリ。
【請求項２７】
該物品は、医薬品、ワクチン、および腐りやすい食品の箱から選択される、請求項１〜２６のいずれか１項に記載のアセンブリ。
【請求項２８】
該ハブは、特に半受動的タグの存在下において、該タグが動作する仕方を修正するために、そして特にその再プログラミングのために、該ハブと該タグとの間のデータ交換を可能にするように、該タグと共通に設計されている、請求項１〜２７のいずれか１項に記載のアセンブリ。
【請求項２９】
保管及び／又は輸送の状態を監視する方法であって、物品が、請求項１〜２８のいずれか１項に記載のアセンブリにおいて前記状態に曝され、ＲＦＩＤタグが前記読取器によって問い合せを受ける、
上記方法。
【請求項３０】
タグは、これらのタグに関連付けられた該センサによる環境パラメータ、具体的には温度、の観察に関連付けられた情報の検索のために問い合わせを受ける、請求項２９に記載の方法。
【請求項３１】
該ハブが、包装手段による該アセンブリの包装の前、最中、及び／又は後に、該アセンブリ内のタグを自動的に識別する、請求項３０に記載の方法。
【請求項３２】
該ハブは、その位置に従っていくつかの動作モードから選択された１の動作モードを自動的に開始する、請求項２９〜３１のいずれか１項に記載の方法。
【請求項３３】
該タグが所定の期間、物品との接触を失う場合、該ハブは、タグに関する警報を送信及び／又は記憶する、請求項２９〜３２のいずれか１項に記載の方法。
【請求項３４】
該ハブは、さらに問い合わせに受信されたデータに関連する情報、具体的には所定のパラメータの監視に関連する情報の少なくとも１つの項目、具体的には少なくとも1つの環境パラメータの変動、のタグ内への格納を実行する、請求項２９〜３３のいずれか１項に記載の方法。
【請求項３５】
該ハブは、少なくとも１つの環境パラメータに対する該代表データが所定の閾値に違反したタグを記録するために、それらの固有の識別子に従って該タグを選択する、請求項２９〜３４のいずれか１項に記載の方法。
【請求項３６】
該ハブは、少なくとも１つの環境パラメータの該代表データが所定の閾値に違反したところの該環境パラメータに関連する情報を、具体的にはその場で、さらには各タグの問い合わせに対して、または全てのタグが問い合わせを受けた後に一度だけ、タグに記録する。請求項２９〜３５のいずれか１項に記載の方法。
【請求項３７】
該ハブは、逆に、該環境パラメータが該所定の閾値を超えなかったところの、物品の該タグの同じメモリ領域に、異常が検出されなかったことを示す情報を記録する、請求項２９〜３６のいずれか１項に記載の方法。
【請求項３８】
請求項１〜２８のいずれか１項に記載のアセンブリを構成するための包装の方法であって、以下の工程；
‐  複数の物品を積み重ねること、ここで、該複数の物品の各々はＲＦＩＤタグを担持し、各タグは固有の識別子をそのメモリ内に組み込んでいる、
‐  該積み重ねられた物品上の該タグを読み取るように構成されているＲＦＩＤ読取器を組み込んでいるハブを、該複数の物品間に、特にその中央に設けること、
を包含している、
上記方法。
【請求項３９】
該ハブは、そのメモリに、該アセンブリ内の物品の位置に関する情報ファイルを、該対応するタグの識別子と共に組み込む、請求項３８に記載の方法。
【請求項４０】
該ハブは、該スタック内の位置による物品の識別子を前もって認識しておらず、この情報は、包装プロセスの最中または完了時に、具体的には、一度全ての該物品が適切な位置に置かれると、該ハブへ送信されるのみである、請求項３８に記載の方法。
【請求項４１】
該ハブは、該スタックの構築中に、位置決め途中の該物品の該タグの該識別子の通知によって、適用可能であれば該アセンブリ内のその位置と共に、情報を受信する、請求項３８に記載の方法。
【請求項４２】
該ハブは、例えば複数のアンテナの使用により擬似三角測量によって、タグの位置と該スタック内の関連する物品の位置とを独立して決定するように構成されている、請求項３８に記載の方法。
【発明の詳細な説明】
【技術分野】
【０００１】
本発明は、物品が曝される、保管及び／又は輸送の状態を監視するための方法と装置に関する。
【背景技術】
【０００２】
物品、例えば医薬品、または腐敗し易い食料品は、生産者の側から分配者の側への輸送中に、いかなる劣化をも防ぐために、所定の環境条件、具体的には温度条件の下に維持されなければならない。
【０００３】
温度計が物品を容れるパッケージの中心に配設されなければならないことが提案されてきた。所定の範囲外への温度偏差が生じると、パッケージは潜在的に欠陥があると考えられ、従って物品のほんの一部分が実際に影響されるとしても、消耗の明らかなリスクを伴って廃棄されなければならない。
【０００４】
さらに、この解決策は、物品を別の物品に置き換えるためのいかなる試みの検出も許容しない。
【０００５】
中国特許（ＣＮ １０２００５０２０）は、医薬品のための冷凍チェーンに伴う、ＲＦＩＤタグのそれらの包装への取り付けによるコンプライアンス（順法性）を監視するためのシステムを開示している。読取器は、直接に運搬ユニット上にではなく、輸送車両上に配設されている。
【０００６】
国際公開第２０１５／０６７９９２号公報は、物品の輸送についての状態の実時間記録のためのシステムであって、上記物品と共に移動し且つ環境パラメータを記録する能力がある「ブラックボックス」を用いるものを開示している。このシステムは、このブラックボックスと共に、例えばＱＲ符号またはＲＦＩＤタグによって動く各物品の唯一の識別のために、および物品の輸送の前に対応する識別子のブラックボックスのメモリへの記録のために設計されている。目的地へ到着すると、ブラックボックスのメモリは、或るパラメータの変動についてのセーブされた値を引き出すために、そして記憶された識別子が存在する物品に対応することを確認するために走査されうる。物品のシリーズのための単一のブラックボックスの使用は、測定の等級付けがないという上述の問題を提起する。さらに、このシステムは、輸送されるすべての物品の範囲に対して完全に効果的というわけではない。
【０００７】
米国特許出願公開第２００６／００８６８０９号明細書は、物体の積み重ねに対して外部に配置された読取器を使用して、積み重ねられた物体上のＲＦＩＤタグを読み取るためのシステムを記載している。この読み取りを容易にするために、導波路が物体間に配置されている。このタイプの配置は比較的複雑であり、従来の包装方法と両立しない。
【０００８】
米国特許第８，０６８，０３１号は、積み重ねられた物品の読み取りを可能にするように設計されているＲＦＩＤタグ用のアンテナの特定の配置を開示している。
【０００９】
米国特許出願公開第２００９／０３０３０５２号明細書は、「ＣＣＤＭＵs」即ち「Container Control Device Monitoring Units(コンテナ制御装置監視ユニット)」のシステムを開示し、このシステムは、パレット上の箱及びパレット自体に取り付けられ、ディスプレイ上に装備されているパレット上のＣＣＤＭＵと箱上のＣＣＤＭＵとの間の通信を有する。各ＣＣＤＭＵは、比較的複雑で扱いにくく、それによってそのようなシステムに関連する測定の達成可能な等級付けを制限し、そのコストもまた相対的に高い。さらに、ＣＣＤＭＵ用の電力供給は、独立性の点で問題を起こす可能性がある。
【００１０】
米国特許出願公開第２０１３／２１４９８９号明細書は、ＲＦＩＤタグを有する物品を追跡するためのコンテナ内の統合システムを記載している。このコンテナはさらに、アンテナが取り付けられた検出モジュールと、該検出モジュールに結合され、物品に取り付けられたタグから得られた情報の処理および外部端末へのその通信のための追跡ユニットとを含む。
【００１１】
米国特許出願公開第２０１１／１２５６６３号明細書は、追跡システムを開示し、該システムは、輸送中のまたは車両内に保管された物品によって運ばれるタグと、車両内または車両の外部に配置された（例えば車両内に存在する物品のパレットに係合された）マスターユニットとの間の通信を含んでいる。タグはさまざまなセンサを組み込むことができ、そこから情報がマスターユニットに送信される。
【発明の概要】
【発明が解決しようとする課題】
【００１２】
物品の包装化、輸送、及び／又は保管中の物品の監視、さらに具体的には、しかし排他的にではなく、物品の包装化、輸送、及び／又は保管中に上記物品が曝される可能性がある環境条件の監視のための方法および装置のさらなる改良の要求がある。
【課題を解決するための手段】
【００１３】
本発明は、この要求を満たすことを意図しており、その第１の局面によれば、以下のようなアセンブリによってそうする。
アセンブリであって、
‐  複数の物品、
‐  該物品上に配設された受動的または半受動的ＲＦＩＤタグ、ここで、各タグは、特に書き換え不能メモリに記録された、少なくとも１つの固有の識別子を含み、該タグは、問い合わせを受けたとき、該タグの少なくとも該固有の識別子を送信するように構成されている、
‐  該物品間に存在する、少なくとも１つのＲＦＩＤ読取器を備えているハブ、ここで、物品は、該ハブに関連付けられた正規直交座標系の少なくとも１つの方向に沿って該ハブの両側に配置され、該ハブは、少なくとも１つの読み取り用アンテナによって、前記方向に配置された物品の少なくとも該ＲＦＩＤタグに問い合わせることが可能な仕方で配設され、該ハブは、該問い合わせを受けたＲＦＩＤタグからデータを受信するように構成されている、
を備えている、上記アセンブリ。
【００１４】
本発明は、所望されれば、該ハブの周りに配置された物品の目録の完備を可能にする。
【００１５】
該ＲＦＩＤ読取器は、好ましくは、複数のアンテナを備え、それらは、上記正規直交座標系上の多数の方向に配置されたラベルの読み取りを容易にするために、様々な向きに配向されている。
【００１６】
該タグは、該ハブから問い合わせを受けたときに、それらの識別子以外のデータ、具体的には、該タグに関する少なくとも１つの環境パラメータに関する有益なデータを送信するように構成されていることが好ましい。
【００１７】
このようにして、本発明は、所望されれば比較的細かい等級付けで上記環境パラメータを測定し、その結果、望ましくない状態に曝された該１のまたは複数の物品をより正確に識別することを可能にする。
【００１８】
例えば該タグは、各々センサを含むか、または各々センサに接続されており、該ラベルが該ハブにより問い合わせを受けるとき、該タグは該センサ環境に関連するデータを該ハブへ送信する。１の変形態様として、該タグは複数のアンテナを含み、それらは所定の方法で環境パラメータに応答するように機能化されている。該ハブは、該タグの該アンテナからの応答の関数として、該タグが問い合わせを受けるとき、該タグの環境に関連する情報を検索することができる。
【００１９】
該環境パラメータは、好ましくは、温度、湿度、加速度、配向、圧力、衝撃、酸素への曝露、所定のガスの存在、所定の分析物の存在、光への曝露、放射線、具体的には、ＵＶ、ＩＲ、またはイオン化放射線への曝露、から選択される。ここで、該パラメータは、好ましくは温度、衝撃または湿度である。
【００２０】
好ましくは、各物品は１のタグを備えており、全ての該タグは、同一であり、且つ該環境パラメータのための１の同一センサを備えている。１の変形態様として、特にコスト上の理由から、本発明によるアセンブリ内にセンサを有さないタグおよびセンサを有するタグを配置することが可能である。ここで、該センサを有するタグは、該環境パラメータが最も正確な等級付けで読まれることを可能にするために、アセンブリ内で所定の仕方で分配される。例えば、センサを取り付けられた該タグは、該アセンブリの周囲および該アセンブリの中心に等ピッチで配置されている。
【００２１】
タグは受動的、即ち、該ハブによって送信される無線周波エネルギー以外に、内部または外部エネルギー源を持たないものであってもよい。
【００２２】
１の変形態様として、該タグは半受動的である、即ちそれらは、内部エネルギー源、例えばバッテリー即ち蓄電器を組み込んでおり、それは、読み取り距離の増加、及び／又はデータの記憶を可能にする。該エネルギー源は、適用可能であればプリント電池タイプのものでよい。半受動的タグは、該ハブに応答するために、内部エネルギー源によって分配される追加のエネルギーへのアクセスを有する。
【００２３】
該タグは、例えば、該物品に接着する柔軟な接着性ベース媒体を組み込んでいる。１変形態様として、タグは、硬質、半硬質、または可撓性でありうる基材に封入される。
【００２４】
該ハブのＲＦＩＤ読取器は、ＥＮ規格３０２?２０８に準拠しうる。好ましくは、該ハブの該ＲＦＩＤ読取器の該１のまたは複数のアンテナは、８６０〜９６０ＭＨｚの周波数を包含しうる帯域幅を有している。該読取器と該タグとの間の通信は、ＩＳＯ規格１８０００に従って実行されうる。
【００２５】
該ハブは好ましくは、物品の監視の継続期間に適した搭載用エネルギー源を組み込んでいる。これは、少なくとも1週間の容量を独立して持つ蓄電池でありうる。該ハブは、エネルギーの局所的生産（例えば、本発明による該アセンブリの運動の電気エネルギーへの変換による）のための搭載用装置を組み込みうる。タグの該固有の識別子のフォーマットは、ＥＰＣ（Electronic Product Code:電子製品コード）６でありうる。関連するＥＰＣクラスは、クラス１、２、または３でありうる。
【００２６】
好ましくは、該ハブは、問い合わせを受けたタグから受信したデータに関連する情報の遠隔送信のために構成されている。１の変形態様としてまたは追加的に、これらデータは該ハブに記憶される。
【００２７】
該ハブによって遠隔的に送信されるデータは、物品の目録及び／又は少なくとも１つの環境パラメータの変動に関する警告を含みうる。
【００２８】
１つの変形態様、または組み合わせにおいて、該ハブは、受信したデータに関連する情報、具体的には該タグの環境に関連する情報の少なくとも1つの項目、具体的には少なくとも1つの環境パラメータの変動を該タグ内に記録するように構成されうる。該ハブは、少なくとも１つの環境パラメータの代表データが所定の閾値に違反した、すなわち所定の閾値よりも高いかまたは低いとして測定されたタグの記録を可能にするために、それら固有の識別子に従ってタグを選択するように構成されうる。該ハブは、環境パラメータに関連する情報をタグ内に記録するように構成されてもよく、そのうちの少なくとも１つの環境パラメータに関する代表データは、所定の閾値に違反している。これは、物品の非常に正確な追跡の実行を可能にする。ここで、該タグは、該物品上に留まり、ひいては異常を示す情報の追跡を可能にする。これは、該ハブへの如何なる接続とも無関係に、または該ハブがデータを送信した遠隔地への接続とも無関係に、物品に関する情報の取得を可能にする。
【００２９】
情報は、書き込みモードでアクセス可能な該タグのメモリ領域に記録されうる。このメモリ領域は、次に書き込み保護モードに切り替えられ、したがってもはやアクセス不可能となり、それによって異常の表示を可能にし、このように記録されたデータを破壊不可能なものにする。
【００３０】
情報は、環境パラメータに関する代表データが所定の閾値に違反したことを示すので、例えば０または１の２進値コードの形態で記録されうる。ここで、該コードは、該環境パラメータについての代表データによる所定の閾値のオーバーシュートの持続時間に対応する値を追加的に含みうる。曝された期間とコード値との間の相関表が採用されうる。逆に、異常が検出されなかったことを示す情報は、その環境パラメータが所定の閾値を超えていない物品の該タグの同じメモリ領域に、好ましくは再びコードの形態で記憶されうる。
【００３１】
物品が受け取られると、受け取りの際の各物品の完全性を確認するために、適用可能であれば、専用のアプリケーションおよび記録された情報の検索によるラベルの読み取りのために、外部読取器が採用されてもよい。例えば、１または複数の物品における過度に高い温度偏差がある場合、関係する該タグに記録された情報は、バッチからのこれらの物品の除去、および不良品を使用する何らかのリスクの排除を可能にする。
【００３２】
該アセンブリは、該ハブと一緒に複数の物品を包装するための手段、例えばフィルムラップ、ボール紙箱、木材、プラスチックまたは金属のケーシング、容器、またはバッグを含むのが有利である。
【００３３】
該アセンブリは、パレット、具体的にはＩＳＯ規格６７８０：２００３に準拠したパレット上に配置されうる。
【００３４】
各物品は、二次包装によって一緒に包装されるところの１つの物体または複数の物体から構成されうる。この場合、想定される監視に対して十分であれば、単一のタグが二次包装毎に設けられうる。
【００３５】
本発明による該アセンブリは、エンクロージャ、例えば温度制御されたエンクロージャ（例えば冷却室または冷蔵庫）内にさらに収容されうる。
【００３６】
該ハブの周りに配置された物品は、隣接していてもそうでなくてもよい。それらは好ましくは、各々が多数の物品の高さである多数の背中合わせの段に積み重ねられる。これは、該ハブの周りの物品の配置の一例にすぎない。１の変形態様によれば、該物品は、該ハブの周りにバラで配置される。
【００３７】
物品には、例えば、医薬品、ワクチン、果物のかご、魚、肉またはサンドイッチを含む生鮮食品、さらに一般的には、環境パラメータ（例えば温度）に敏感ないずれかの物品、具体的には腐りやすい商品が含まれる。
【００３８】
物品はまた、盗難、偽造、密輸を受けやすい物、例えば、タバコやアルコール、スペア部品、工業用部品、高級品、ＩＴまたは電話のハードウェアでありうる。
【００３９】
該ハブは、該ハブの両側に、上述の正規直交座標系の少なくとも２つの方向、好ましくは３つの方向に配置された物品と共に包装されてもよく、該ハブは、好ましくは複数の物品の中心に置かれている。
【００４０】
該ハブは、例えば１の方向Ｄにおいて、好ましくはアセンブリの中心に配設され、該方向Ｄにおいて該ハブの片側に配置されたｎ＋個の物品が在り、それは、該方向Ｄにおいて反対の側に配置された物品の数ｎ−に実質的に対応する。例えば、絶対値（ｎ＋−ｎ−）/ｎ＋は、０〜０．３、好ましくは０〜０．２の範囲である。該方向Ｄは、好ましくは、上述の正規直交座標系の軸Ｘ、Ｙ、またはＺのうちの１つに対応する。
【００４１】
該ハブは、該物品と一緒に該ハブを積み重ねることを可能にするために、該物品と同一の寸法、またはその倍数の寸法でありうる。
【００４２】
ハブは、所定のイベントに応答してラベルの自動読み取りを起動するように構成されうる。このイベントは、例えば、包装手段の移動、コマンド信号もしくは地理的位置信号の受信、またはクロック信号の受信から選択されうる。具体的には、１例において、該ハブは、所定のゾーン内でその存在が検出されるとラベルの読み取りを活動的にする。
【００４３】
該ハブは、環境パラメータのための少なくとも１つのセンサ、地理的位置信号（具体的にはＧＰＳ信号）のための受信機、移動電話ネットワーク（例えばＧＳＭ）を介する通信手段、または接続された対象物のネットワーク（例えばＳＩＧＦＯＸまたはＬＯＲＡ）を含みうる。好ましくは、該ハブはまた、ローカルネットワークとの接続（例えばＷｉＦｉ、ブルートゥース、またはＬｉＦｉタイプのリンクを介する）の確立を可能にするようにも構成されている。これは、ユーザが、その構成の目的のために、及び／又は該ハブに記憶されたデータを受信するために、該ハブに直接接続することを可能にできる。
【００４４】
該ハブは、ＲＦＩＤタグに、周期的な仕方で、例えば規則的な間隔で、例えば１秒〜２４時間の間の、好ましくは６０秒〜３時間の間の、またはさらに好ましくは６０秒〜６０分の間の間隔で問い合わせるように設計されうる。測定間隔は、好ましくは、ユーザによってパラメータ化可能である。
【００４５】
上記のように、該ハブは、複数のアンテナ（具体的にはＵＨＦタイプの）を有する少なくとも１つのＲＦＩＤ読取器を有利に備える。
【００４６】
該ハブが複数のアンテナを含む場合、該アンテナは、ＲＦ（無線周波数）マルチプレクサを介してＲＦＩＤ読取器に接続されうる。
【００４７】
該アンテナは、一般的に平行六面体設計のハウジングの複数の側面に配置されてもよく、該ハブは、好ましくは６つの側面にそれぞれ配置された６つのアンテナを備えている。該アンテナの各々は平面的であってもよく、該アンテナは好ましくは指向性の要素を組み込んでいる。ここで、以下に詳述するように、それらは、疑似三角測量によって該アセンブリ内で該ハブの傍への物品の配置を可能にするように設計されている。
【００４８】
該ハブは好ましくは、該ＲＦＩＤタグによって送信されたデータの全部または一部分を記録するように設計されている。この記録は不揮発性メモリで実行されてもよい。該ハブは好ましくは、メモリカード（例えばマイクロＳＤタイプの）を収容するためのスロットを組み込み、データはこのメモリカードに記録されてもよい。１の変形態様として、または追加的に、該ハブは、ハードディスク（例えばＳＳＤタイプの）を含みうる。タグ識別子および該タグによって送信された対応する環境データに加えて、記録されたデータは、該ハブ自体から生じた、その位置、日付、時間、温度、湿度、圧力、加速度などを含むデータを含みうる。
【００４９】
該ＲＦＩＤタグは好ましくはＵＨＦタグであり、その各々は好ましくはダイポールアンテナを有する。
【００５０】
本発明のさらなる目的は、上で定義されたように、本発明によるアセンブリ内の物品が曝されるところの保管及び／又は輸送の状態を監視するための方法である。ここで、該ＲＦＩＤタグは上記ハブによって問い合わせを受ける。
【００５１】
具体的には、タグは、上記タグに関連付けられた該センサによる少なくとも１つの環境パラメータ（具体的には温度）の観察に関連付けられた情報の検索のために問い合わせを受けることができる。好ましくは、該ハブは、包装手段による該アセンブリの包装の前、最中、及び／又は後に、該アセンブリ内のタグを自動的に識別する。
【００５２】
もし望まれるなら、該ハブは、その位置によっていくつかの動作モードから選択された１つの動作モードを自動的に開始するように展開することが可能である。
【００５３】
該ハブは、所定の且つ予めプログラムされた動作モードのいくつかに従って動作するように構成されうる。動作モードの選択は、オペレータによって実行されてもよく、あるいは変形態様として、監視されるべき商品の種類に従って自動的に実行されてもよい。これは、多機能なハブであって、多種多様な物品に用いられることができ、操作者によるパラメータの設定が簡単化されるハブの提供を可能にする。
【００５４】
該ハブは、有線または無線構成で送信される命令によって、これらの動作モード間の選択を可能にするように構成されうる。
【００５５】
該ハブの１つの動作モードは、所定のパラメータの監視と、各タグに対するこのパラメータの値の記録（例えば規則的な間隔での）とを含みうる。例えば温度が、全ての商品について規則的に記録される。これは、保管及び／又は輸送の条件に合致していないという理由で使用に適さない物品の識別を可能にする。
【００５６】
該ハブは、問い合わせのためにさらに受信されたデータと関連する情報、具体的には所定のパラメータ（具体的には少なくとも１つの環境パラメータの変化）の監視と関連する情報の少なくとも１つの項目を該タグに記憶しうる。
【００５７】
該ハブは、複数のタグにおいて、少なくとも１つの環境パラメータの代表データが所定の閾値に違反した、即ち、所定の閾値よりも高いかまたは低いとして測定されるタグを記録するために、それら固有の識別子に従ってタグを選択することができる。該ハブは、少なくとも１つの環境パラメータの代表データが所定の閾値に違反したところの環境パラメータに関連する情報をタグに記録することができる。該ハブは、その場で、さらには各タグの問い合わせに対して、または全てのタグが問い合わせを受けた後に一度だけ、情報を記録しうる。
【００５８】
情報は、環境パラメータの代表データが該所定の閾値に違反したことを示す、例えば０または１の２進値のコードの形で記録されてもよい。ここで、該コードは、該環境パラメータの該代表データによる該所定の閾値のオーバーシュートの持続時間に対応する値を追加的に含むことができる。曝された期間とコード値との間の相関表が採用されてもよい。
【００５９】
該ハブは、逆に、該環境パラメータが該所定の閾値を超えなかったところの物品の該タグの同じメモリ領域に、異常が検出されなかったことを示す情報を、好ましくはコードの形で記録することができる。
【００６０】
該ハブの別の動作モードは、物品目録の完備を目的として、物品の存在を、例えば定期的に監視することを含みうる。これは、商品の監視、例えば盗難の検出のための監視を可能にする。タグが所定の期間、物品との接触を失い、それによって上記物品の完全性を危うくする場合に、該ハブは、タグに関する警報を送信及び／又は格納することができる。
【００６１】
上記２つの動作モードは相互に排他的ではなく、共存可能である。
【００６２】
監視の頻度は、適用可能であれば変えることができる。例えば、監視は、デフォルト（初期設定）の時間間隔で実行され、かつ、所定の条件（例えば、環境パラメータによる閾値の違反、この趣旨でのコマンド信号の受信、または所定の地理的区域内に存在することの検出）が満たされる場合に、より高い頻度で実行される。例えば、商品の輸送中、リスクが増大した１以上の区域が識別されうるような場合に、より積極的な監視の実行が必要とされる。動作モードは、例えば物品の種類に従って選択されてもよい。この目的のために、タグ識別子は、それらが対応する物品の性質の表示を与えるように選択されてもよい。例えば、ある数字で始まる識別子はある種類の物品に対応し、別の数字で始まる識別子は別の種類の物品に対応してもよい。
【００６３】
該ハブは、物品で観察された異常、例えば、パラメータの閾値のオーバーシュート、例えば、測定された温度の所定の範囲を超える偏差、に応答するように構成されうる。これはまた、問い合わせに応答することのタグの失敗も含みうる。
【００６４】
該ハブは、異常を検出すると、通信ネットワークを介して、例えばＳＭＳメッセージの提出によってメッセージを送信するように構成されうる。送信されたメッセージは、該異常の性質と共に、該物品に対応する該タグの識別子を含んでもよい。適応可能であれば、該ハブは、関連する異常の性質の関数として、実行されるべき行動の定義についてパラメータ化可能である。例えば、全ての物品の損失の危険性（例えば急激な温度上昇）を伴う異常は、タグに関する問い合わせへの該タグの応答の失敗によって引き起こされるものとは異なる行動をもたらしてもよい。
【００６５】
別の局面によれば、本発明はさらに、上で定義したように、本発明によるアセンブリを構成するための包装方法であって、以下の工程；
‐  複数の物品を積み重ねること、ここで、該複数の物品の各々はＲＦＩＤタグを担持し、各タグは固有の識別子をそのメモリ内に組み込んでいる、
‐  該積み重ねられた物品上の該タグを読み取るように構成されているＲＦＩＤ読取器を組み込んでいるハブを、該複数の物品間に、特にその中央に設けること、
を包含している、上記方法に関する。
【００６６】
該ハブは、そのメモリに、該アセンブリ内の物品の位置に関する情報ファイルを、該対応するタグの識別子と共に組み込みうる。このようにして、該ハブは、問い合わせを受けた各タグに関連する該物品の位置を知っている。
【００６７】
物品のスタックは、所定の仕方で構築されることができ、それはファイルに対応する。
【００６８】
１の変形態様として、該ハブは、該アセンブリ内の位置による物品の識別子を前もって認識しておらず、この情報は、包装プロセスの最中または完了時に、例えば、一度全ての該物品が適切な位置に置かれると、該ハブへ送信されるのみである。例えば、対応する物品の位置に従ってタグの該識別子を含むファイルは、一度全ての該物品が適切な位置に置かれると、該ハブへ送信される。
【００６９】
別の変形態様として、該ハブは、該スタックの構築中に、位置決め途中の該物品の該タグの該識別子の通知によって、適用可能であれば該アセンブリ内のその位置と共に、情報を受信する。
【００７０】
該ハブは、擬似三角測量によって、例えば、複数のアンテナの使用によって、タグの位置と該スタック内の関連する物品の位置とを独立して決定するように構成されることも可能である。具体的には、該ハブは、選択可能である複数のアンテナを備えうる。各アンテナは全物品の少なくとも一部分をカバーし、各タグは応答信号を発生し、それは用いられたアンテナに対するその相対的な位置決めに依存する。同じタグを異なるアンテナで継続して問い合わせることによって、該タグを該ハブに対して相対的に位置決めすることが可能である。好ましくはこの目的のために、該ハブは、異なる方向に向けられた、少なくとも３つのアンテナおよび好ましくは少なくとも６つのアンテナを有している。
【００７１】
該ハブは、対応する物品の位置と共にその読み取りフィールド内に配置されたタグの識別子を確定することによって、物品目録の自動実行用に設計されうる。この目録は、例えば、工場において、または目的地で、例えば物品の開梱およびサンプリングの間に、アセンブリが構成されると完了されてもよい。上記目録はまた、輸送または保管の期間中、具体的には盗難の検出または物品の他の物品によるすり替の試みの検出のために、完備されてもよい。
【００７２】
該ハブは、物品の環境、例えば物品の少なくとも１つによる環境パラメータに関する閾値のオーバーシュートに関する警告を、例えば、所定の表現モード（例えば、色の変化及び／又は点滅画像）によって示された問題の該物品を伴う、全ての物品の３Ｄ表示を呼び出すことによって、起動するように設計されてもよい。これは、関連する１又は複数の物品の物理的な識別性と共に、閾値のオーバーシュートに関与する事柄の操作者による理解（たとえばその除去）を容易にすることができる。
【００７３】
該ハブはまた、その監視のフィールド内に存在すると推定される物品に関する全てのタグに問い合わせることができない場合に、警告信号を生成するように設計されてもよい。例えば該ハブは、要求に応じて、規則的に、または所定のイベントに応じて、新しい物品目録の結果と以前に完了していた物品目録の結果とを比較し、不足している１又は複数のタグにフラグを立てるように設計される。
【００７４】
特に半受動的タグの存在下における該ハブは、該タグが動作する仕方を修正するために、具体的にはその再プログラミングのために、該タグと共通に、該ハブと該タグとの間のデータ交換を可能にするように設計されうる。例えば、該タグは、「データロガー」のように、少なくとも１つの環境パラメータについての測定結果を格納し、そして該ハブは、タグに記憶されているデータのハブへの転送を指示しうる。一度、この転送が実行されると、以前のデータは該タグのメモリから消去されうる。これは、タグによって記憶されたデータの周期的な保存、および該タグのメモリに新しい値を書き換えることを可能にする。該当する場合、該ハブは、転送が完了するとすぐに該タグのメモリをリセットする。
【００７５】
該ハブが所定の条件の充足を検出し、これが妥当する場合、例えば少なくとも１つの環境パラメータの測定の頻度及び／又は分解能に関するタグへの指示を配信するようにハブを構成することも可能である。例えば、該ハブが所定の温度範囲からの逸脱を検出した場合、各タグによって局所的に測定された温度をより高い頻度で記録するように、該ハブはそれらのタグに指示する。該ハブはそれが常温範囲内にあることを検出すると、測定の頻度はより低くなり、これによって、例えば該ハブと該タグとの間のデータ交換の制限を可能にし、それによってエネルギーを節約する。
【００７６】
１の実施例において、該ハブによって測定される環境パラメータが所定の範囲から逸脱した場合に、該タグに与えられる命令は、該タグが実行された測定値にタイムスタンプを付けることを求める命令である。
【００７７】
別の配置の実施例において、該ハブは、該タグによって記録された測定データをダウンロードせず、該ハブに対する該タグの位置を単に記録し、かつそれらの存在を確認するのみである。輸送される商品の完全性は、それに応じて保証される。輸送の状態に関するデータは、商品を受け取るとタグの問い合わせによって調べられてもよい。
【００７８】
本発明の理解は、本発明の実施態様の、これらに限定する意図のない実施例に関する以下の詳細な説明および添付の図面の検討によって明らかになるであろう。
【図面の簡単な説明】
【００７９】
【図１】本発明による複数の物品および１つのハブを備えるアセンブリの概略の部分的表示である。
【図２】図１のハブの分離した部分的且つ概略の表示である。
【図３】ハブのアンテナの正面図である。
【図４】ハブのアンテナの接続を示した図である。
【図５】図１に示されたハブの様々な構成要素の間のデータおよびエネルギーの交換を示すブロック図である。
【図６】ハブの読み取りフィールド内に配置される物品に取り付けられたＲＦＩＤタグの１例である。
【図７】図６と類似の図で、タグの実施態様の変形例を示す。
【図８】図６と類似の図で、タグの実施態様の変形例を示す。
【発明を実施するための形態】
【００８０】
図１は、本発明によるアセンブリ（１）を示し、該アセンブリ（１）は、複数の物品１０（その内の２つだけが点線で表示されている）と、本発明により実行される１つのハブ２０とを備えている。
【００８１】
物品１０は、例えば箱であり、本質的に平行６面体の形状の各々は、ハブ２０に関連付けられた正規直交座標系の３つの方向Ｘ、Ｙ、およびＺにおいて積み重ねられている。
【００８２】
物品１０は、例えば、パレット１１、好ましくは標準フォーマットのパレット上に積み重ねられる。
【００８３】
物品１０は、パレット１１の輸送および取り扱いの間に、積み重ねの一体性を維持するために、パレット１４上に配置された板材またはボール紙の箱に収容されてもよく、または変形態様として、フィルムラップ（例えば、熱収縮フィルム）で被覆されてもよい。
【００８４】
本発明の１つの局面によると、ハブ２０は、好ましくは物品１０の積み重ねの実質的に中心に配置される。すなわち、物品１０は、各方向Ｘ、Ｙ、およびＺにおいてハブ２０の両側に配置される。
【００８５】
例示的なハブ２０が、図２に示されている。
【００８６】
好ましくは、このハブは、一般的な平行六面体形状、有利には、物品１０と同じ形態の、または１つの物品１０の寸法の倍数の形態をとり、ハブ２０は、方向Ｘ、Ｙ、およびＺのいずれにおいてもオフセットを形成することなく、物品１０の積み重ね内に容易に組み込まれうる。変形態様として、ハブ２０は、１つの物品１０の体積以下である寸法を有する。
【００８７】
ハブ２０は、その６つの側面のそれぞれに、図３に概略的に表されているアンテナ２１を備えうる。このアンテナ２１は、図４および５に示されているように、マルチプレクサ２２によってＲＦＩＤ読取器２３の電子回路の残りの部分に接続されている。読取器２３は、物品１０の全部または一部分に存在するＲＦＩＤタグ３０への問い合わせを許可し、該タグが受動的である場合、それらの動作に必要な全てのエネルギーを供給する。
【００８８】
ハブ２０は、ＲＦＩＤ読取器２３に加えて、ハブ２０の様々な要素の動作を管理する中央処理ユニット２４を備え、この中央ユニットは、以下に詳述するように、様々な情報を記憶することができるメモリ２５を有する。メモリ２５は、少なくとも部分的にメモリカード（例えばマイクロＳＤタイプの）によって構成されてもよい。
【００８９】
ハブ２０はまた、バッテリー２６および、ケーブルを介しまたは誘導によってバッテリー２６の再充電を可能にする電力供給管理モジュール２７を備えている。
【００９０】
ハブ２０はまた、サテライト位置アンテナ５０および対応するモジュール５１（例えばＧＰＳモジュール）を、通信ネットワークとの接続性を提供するためのアンテナおよび対応するモジュール５４（例えば、GSM又はSIGFOX又はLORAモジュール）と共に備え、およびローカル接続５５を提供するためのアンテナを、対応するモジュール５６（例えばＷｉＦｉ、Bluetooth（商標）またはＬｉＦｉモジュール）と共に備えうる。
【００９１】
適用可能であれば、単一のアンテナが、通信ネットワークとの接続性とローカル接続性を同時に提供しうる。
【００９２】
ハブ２０はまた、有線バス５８（例えばイーサネット（商標）またはＵＳＢタイプの）を備えうる。
【００９３】
各タグ３０は、例えば、ＲＦＩＤチップ３１およびアンテナ３２（例えばＵＨＦダイポール型の）を備える。
【００９４】
タグ３０はまた、外部センサ３３を備えることができ、該外部センサ３３は、例えばタグ３０によって担持され、または例えば有線接続によってタグに接続される。
【００９５】
センサ３３は、タグに関する少なくとも１つの環境パラメータに敏感であり、該環境パラメータは、例えば、温度、湿度、加速度、圧力、配向、衝撃、酸素への曝露、所定のガスの存在、所定の分析物の存在、光または放射線（特に，ＵＶ、ＩＲまたは電離放射線）への暴露、から選択される。センサ３３は、物品１０の種類と、行われるべき監視の性質とに従って選択される。
【００９６】
Jose Fernadez-Salmeronらによる論文「Passive UHF RFID Tag with Multiple Sensing Capabilities（複数のセンシング機能を有するパッシブUHF RFIDタグ）」Sensors 2015、15、26769-26782は、センサを備えたタグの例を開示している。
【００９７】
本発明の展開の変形態様において、タグ３０の全部または一部は、半受動的であり、即ち図７に示されるようにセルまたはバッテリー３４を更に含む。
【００９８】
図８に示す変形態様において、タグは、特定のセンサを含むのではなく、機能化された（換言すれば、その調整が環境パラメータに従って変化する）アンテナ３２を含む。この変化は、読み取りと共にハブ２０によって検出され得、タグ３０はハブ２０に環境パラメータを通知する。Tulra Virtanenらによる記事「Inlset-Printed Humidity Sensor For Passive UHF RFID Systems（インセット - 受動UHF RFIDシステム用の印刷された湿度センサ」、IEEE、Transactions on Instrumentation and Measurement(計測と測定に関するトランザクション), Vol. 60, No.8, August 2011 は、機能化されたアンテナを有するタグの例を記載している。
【００９９】
受動的ＲＦＩＤタグ３０の場合、ハブ２０は、タグ３０を動作させるためにエネルギーを供給し、それによってタグ３０が動作することを可能にする。
【０１００】
半受動的タグ３０の場合、タグは、ハブによって問い合わせを受けたときに情報を送信しうる。
【０１０１】
物品１０のアセンブリ内にハブ２０が存在することは、ハブ２０のＲＦＩＤ読取器２３の範囲内で物品１０をより容易に保持することを可能にし、それによって全ての物品１０上のタグ３０の読み取りを確実にする。
【０１０２】
ハブ２０のハウジングのそれぞれの側面に６つのアンテナ２１が存在することは、３つの方向Ｘ、Ｙ、およびＺの各々におけるタグの読み取りに寄与する。これはまた、上で説明されたように擬似三角測量によって位置決めを可能にできる。
【０１０３】
ハブ２０の存在と、タグ３０を備えた少なくとも１つの物品１０の存在とは、アセンブリ１がその取扱い及び輸送の間に曝される環境状態の監視を可能にする。例えば、ハブ２０は、１または複数のタグ３０に周期的に問い合わせを行い、経時的な環境パラメータの変動の識別を可能にする。タグ３０に問い合わせると、タグは、ユニークであるその識別子と、図６に示されたような外部センサ３３を有するタグの場合には、センサ３３によって検出された環境パラメータに関する情報と、を送信することによって応答する。受信された情報はメモリ２５に記憶されうる。環境パラメータの履歴は、アセンブリ１がその目的地で受け取られると読み取られうる。
【０１０４】
変形態様として、データは、経時的にハブ２０によって外部サーバへ、例えば、アンテナ５３が専用にされている通信ネットワークを介して、またはローカルネットワークを介して送信される。
【０１０５】
適用可能であれば、タグ３０から受信されたデータは、ハブ２０に関する位置データと関連付けられる。即ち、ハブ２０は、タグ３０の１以上のセンサによって通知された環境パラメータだけでなく、タグ３０からこのデータを受信するとハブ２０の位置も記録する。従って、ハブ２０は、１以上の環境パラメータの変動だけでなく、上記パラメータの記録時でのアセンブリ１の位置も同時に示すテーブルを構成することができる。
【０１０６】
ハブ２０はまた、例えば、次第に物品１０が積み重ねられるとき、対応するタグ３０の識別子、そして適用可能であれば、タグの位置とアセンブリ１内の対応する物品の位置を記録することによって、アセンブリ１を構成する間、有用な役割を担うことができる。
【０１０７】
この位置決めの実行のために、ハブ２０は、例えば、その様々な側面に取り付けられたアンテナ２１のどれが最良の読取信号を配信するかを決定し、それによって物品１０（物品１０のタグはハブ２０に対して相対的に読み取られる）の相対位置を指示する。アセンブリ１内の所与の物品１０の位置の知識は、環境パラメータの値だけでなく、タグおよびタグと対応するセンサのアセンブリ内の位置もまた記録することによって、アセンブリ１内の環境パラメータの変動のより正確な記録の作成を可能にできる。
【０１０８】
アセンブリ１内の物品１０の位置決めが自動化によって実行される場合特に、対応する物品１０がアセンブリ内に位置決めされるときに、ハブ２０は各タグ３０の位置を通知されることも可能である。ここで、この情報は、例えば、アンテナ５５と通信するローカルネットワークによってハブ２０に送信される。
実施例
実施例1
【０１０９】
同一形態の６４個の箱がパレット上に配置され、それらのうちの６３個がＲＦＩＤタグ３０によって識別され、それらの最後の箱は、側面毎に１つのアンテナを有しているハブ２０を含む。
【０１１０】
箱の積み重ね（スタック）の構成は、所定の順序および配置に従って行われる。したがって、各位置は、所定の固有の識別子に関連付けられている。ハブ２０はアセンブリの中心に置かれる。
【０１１１】
ハブ２０は、その動作を管理するための多数のプログラムをそのメモリに組み込んでいる。操作者は、例えばＷｉＦｉタイプのローカル無線リンクを介してハブを起動し、商品の監視に適したプログラムを選択しうる。変形態様として、ハブは、それが起動されると、商品の監視のための適切なプログラムを独立して自動的に選択する。
【０１１２】
次に、ハブは、タグの読み取りが全て可能であることを確認するために、タグの読み取りを続行する。これが妥当する場合、ハブはこの正しい読み取りの確認のためにＳＭＳメッセージを送出する。
【０１１３】
商品の輸送中、箱について異常がハブによって観察されると、上記異常の記録に加えて、ハブはこの箱の識別子を示しながらＳＭＳアラートを送出する。パレットは、箱と一緒に、適切なソフトウェアを用いて見られることができ、この箱は点滅する画像または特定の色の施与によって示される。
実施例２
【０１１４】
アセンブリは、先の実施例のように構成される。
【０１１５】
先の実施例との区別ということで、積み重ねの構成は任意の仕方で行われる。ハブ２０は、採用された６つのアンテナの各々に対するタグによって反射された電力値の関数として、擬似三角測量によって各箱の位置を決定する。
実施例３
【０１１６】
アセンブリは、実施例１のように構成されており、ＲＦＩＤタグ３０によって識別される箱に収容される物品は医薬品であり、点Ａから点Ｂを介して点Ｃに輸送される。
【０１１７】
この実施例において、少なくとも１つの温度センサ３３が各タグに組み込まれている。これらの医薬品は、所定の閾値Ｓを超える温度に決して曝されないことが望ましい。この監視動作に対応する、商品の監視のためのプログラムが、選択される。ハブ２０は、例えば１５分毎にタグに問い合わせをする。
【０１１８】
問い合わせ中、ハブ２０はタグの読み取りを進める。ハブ２０は、データ、具体的には温度に関連するものを記録し、次いで、例えばＳＭＳメッセージの送出によって、受信されたデータに関する情報を遠隔送信する。当初は、温度値が所定の閾値Ｓを超えていなかったので、ハブは、異常が検出されなかったことを示す１または複数のＳＭＳメッセージを送出する。
【０１１９】
その輸送の或る段階で、パレット６４は点Ｂに停留させられ、輸送を待つ。この地点で、このパレットは不注意で太陽放射に長期間曝され、その結果、温度が異常に上昇する。ハブ２０による問い合わせサイクルの間に、多数の箱（その箱のタグが読み取られる）が、所定の温度閾値Ｓを超える。ハブは、Ｙ個の箱うちのＸ個が温度上昇の影響を受けることを特定するＳＭＳアラートを送信する。次にハブは、この各箱のタグに関する固有の識別子の選択を実行し、そして書き込みモードで（例えば、コードの形で）アクセス可能である関係するタグのメモリ領域に、この情報を記録する。考察されている本実施例において、タグへの書かれた入力は、この箱の温度が所定の閾値Ｓを下回った後に実行される。所定の閾値の温度によるオーバーシュートの持続時間もまた記録される。逆に、異常が検出されなかったことを示すコードも、物品（その環境パラメータが所定の閾値を超えていない）のタグの同じメモリ領域に記録される。
【０１２０】
パレットが目的地（Ｃ点）に到着すると、専用のアプリケーションを使用してタグの読み取りのために外部読取器が用いられ、受け取りのあとに、各物品に劣化のないことを確認するために記録情報が検索される。
【０１２１】
当然ながら、本発明は上記の実施例に限定されるものではない。
【０１２２】
ハブとタグとの間で交換されるデータは、暗号化されていても、されていなくてもよい。タグは、ＩＳＯ規格18000-6に準拠しても、しなくてもよい。
【０１２３】
例えば、ハブ２０の地理的位置は、ＧＰＳモジュールを用いずに、通信ネットワークによって実行されてもよく、または位置情報は、外部手段によって、ローカルネットワークを介してハブへ提供されてもよい。
【符号の説明】
【０１２４】
１        アセンブリ
１０        物品
１１        パレット（荷台）
２０        ハブ
２１        アンテナ
２２        マルチプレクサ
２３        ＲＦＩＤ読取器
２４        中央処理ユニット
２５        メモリ
２６        バッテリー
２７        電力供給管理モジュール
３０        タグ
３１        ＲＦＩＤチップ
３２        アンテナ（例えばＵＨＦダイポール型）
３３        外部センサ
３４        電池またはバッテリー
５０        サテライト位置アンテナ
５１        サテライト位置アンテナモジュール
５３        通信網との接続を提供するアンテナ
５４        通信網との接続を提供するモジュール
５５        ローカル接続性を提供するアンテナ
５６        ローカル接続性を提供するモジュール
５８        有線バス
【図１】
2020504368.tif 000003
【図２】
2020504368.tif 000004
【図３】
2020504368.tif 000005
【図４】
2020504368.tif 000006
【図５】
2020504368.tif 000007
【図６】
2020504368.tif 000008
【図７】
2020504368.tif 000009
【図８】
2020504368.tif 000010
【国際調査報告】
2020504368.tif 000011
2020504368.tif 000012
2020504368.tif 000013
2020504368.tif 000014
2020504368.tif 000015
2020504368.tif 000016